(57)【要約】【課題】  移動通信端末のハンドオーバ制御において、移動通信端末が持つ限られた受信資源を有効に活用可能とし、安定した通信を行うことが可能な移動通信システムを提供する。【解決手段】  移動通信端末３は通信中、セル１，２毎のＣＰＩＣＨ受信レベルの測定結果によってハンドオーバ対象セルを決定し、（１）セル１，２毎の下りＤＰＣＨの受信品質を測定し、ハンドオーバ対象セルの選択に利用し、（２）ハンドオーバ対象のセルを切り替えて、所要の通信品質を得るのに必要なセルを検索し、（３）セル１，２毎のＣＰＩＣＨ  Ｐａｔｈ  Ｌｏｓｓの変位量を観測し、（４）ハンドオーバ対象のセル１，２毎に移動通信端末３からのパワー要求にしたがって下りＤＰＣＨ送信パワーを制御しているかを観測する。【選択図】      図１
2006054625.tif 000002
【特許請求の範囲】
【請求項１】
移動通信端末の隣接するセルへの移動に伴って当該移動通信端末のハンドオーバ制御を行う移動通信システムであって、セル内共通に送信される共通チャネルと合わせて通信のために前記移動通信端末毎に割り当てられる個別チャネルの受信品質を測定する手段と、その測定結果に基づいてハンドオーバ対象のセルを決定する手段とを前記移動通信端末に有することを特徴とする移動通信システム。
【請求項２】
前記ハンドオーバ制御において、通信中に前記ハンドオーバ対象のセルを切り替えて所要の通信品質を得るのに必要なセルを検索する手段を前記移動通信端末に含むことを特徴とする請求項１記載の移動通信システム。
【請求項３】
前記ハンドオーバ制御において、通信中に前記ハンドオーバ対象のセル各々について前記個別チャネルの受信品質を測定する手段と、前記個別チャネルの受信品質が悪いことが測定されたセルの通信を一時的に切断する手段と、Ｒａｋｅ合成後の通信品質が所要品質を満たすかどうかを判定する手段とを前記移動通信端末に含むことを特徴とする請求項１または請求項２記載の移動通信システム。
【請求項４】
前記ハンドオーバ制御において、通信中に通信を一時的に切断してもＲａｋｅ合成後の通信品質に影響しないハンドオーバ対象セルを前記ハンドオーバ対象から除外する手段を前記移動通信端末に含むことを特徴とする請求項１から請求項３のいずれか記載の移動通信システム。
【請求項５】
前記ハンドオーバ制御において、通信中に通信を一時的に切断してもＲａｋｅ合成後の通信品質に影響しないハンドオーバ対象セルと判断されたセルの中で前記共通チャネルから推定する無線区間でのレベル劣化量の変位量から前記移動通信端末の接近時に前記Ｒａｋｅ合成後の通信品質に影響を及ぼすと判断したセルを前記ハンドオーバ対象とする手段を前記移動通信端末に含むことを特徴とする請求項１から請求項４のいずれか記載の移動通信システム。
【請求項６】
前記ハンドオーバ制御において、通信中に前記移動通信端末から送信されるパワーコントロール要求にしたがわないセルを前記ハンドオーバ対象から除外する手段を前記移動通信端末に含むことを特徴とする請求項１から請求項５のいずれか記載の移動通信システム。
【請求項７】
移動通信端末の隣接するセルへの移動に伴って当該移動通信端末のハンドオーバ制御を行う移動通信システムであって、通信中にハンドオーバ対象のセルを切り替えて所要の通信品質を得るのに必要なセルを検索する手段を前記移動通信端末に有することを特徴とする移動通信システム。
【請求項８】
移動通信端末の隣接するセルへの移動に伴って当該移動通信端末のハンドオーバ制御を行う移動通信システムであって、通信中にハンドオーバ対象のセル各々についてセル内共通に送信される共通チャネルと合わせて通信のために前記移動通信端末毎に割り当てられる個別チャネルの受信品質を測定する手段と、前記個別チャネルの受信品質が悪いことが測定されたセルの通信を一時的に切断する手段と、Ｒａｋｅ合成後の通信品質が所要品質を満たすかどうかを判定する手段とを前記移動通信端末に有することを特徴とする移動通信システム。
【請求項９】
移動通信端末の隣接するセルへの移動に伴って当該移動通信端末のハンドオーバ制御を行う移動通信システムであって、通信中に通信を一時的に切断してもＲａｋｅ合成後の通信品質に影響しないハンドオーバ対象セルをハンドオーバ対象から除外する手段を前記移動通信端末に有することを特徴とする移動通信システム。
【請求項１０】
隣接するセルへの移動に伴ってハンドオーバ制御が行われる移動通信端末であって、セル内共通に送信される共通チャネルと合わせて通信のために割り当てられる個別チャネルの受信品質を測定する手段と、その測定結果に基づいてハンドオーバ対象のセルを決定する手段とを有することを特徴とする移動通信端末。
【請求項１１】
前記ハンドオーバ制御において、通信中に前記ハンドオーバ対象のセルを切り替えて所要の通信品質を得るのに必要なセルを検索する手段を含むことを特徴とする請求項１０記載の移動通信端末。
【請求項１２】
前記ハンドオーバ制御において、通信中に前記ハンドオーバ対象のセル各々について前記個別チャネルの受信品質を測定する手段と、前記個別チャネルの受信品質が悪いことが測定されたセルの通信を一時的に切断する手段と、Ｒａｋｅ合成後の通信品質が所要品質を満たすかどうかを判定する手段とを含むことを特徴とする請求項１０または請求項１１記載の移動通信端末。
【請求項１３】
前記ハンドオーバ制御において、通信中に通信を一時的に切断してもＲａｋｅ合成後の通信品質に影響しないハンドオーバ対象セルを前記ハンドオーバ対象から除外する手段を含むことを特徴とする請求項１０から請求項１２のいずれか記載の移動通信端末。
【請求項１４】
前記ハンドオーバ制御において、通信中に通信を一時的に切断してもＲａｋｅ合成後の通信品質に影響しないハンドオーバ対象セルと判断されたセルの中で前記共通チャネルから推定する無線区間でのレベル劣化量の変位量から接近時に前記Ｒａｋｅ合成後の通信品質に影響を及ぼすと判断したセルを前記ハンドオーバ対象とする手段を含むことを特徴とする請求項１０から請求項１３のいずれか記載の移動通信端末。
【請求項１５】
前記ハンドオーバ制御において、通信中に自端末から送信されるパワーコントロール要求にしたがわないセルを前記ハンドオーバ対象から除外する手段を含むことを特徴とする請求項１０から請求項１４のいずれか記載の移動通信端末。
【請求項１６】
隣接するセルへの移動に伴ってハンドオーバ制御が行われる移動通信端末であって、通信中にハンドオーバ対象のセルを切り替えて所要の通信品質を得るのに必要なセルを検索する手段を前記移動通信端末に有することを特徴とする移動通信端末。
【請求項１７】
隣接するセルへの移動に伴ってハンドオーバ制御が行わける移動通信端末であって、通信中にハンドオーバ対象のセル各々についてセル内共通に送信される共通チャネルと合わせて通信のために割り当てられる個別チャネルの受信品質を測定する手段と、前記個別チャネルの受信品質が悪いことが測定されたセルの通信を一時的に切断する手段と、Ｒａｋｅ合成後の通信品質が所要品質を満たすかどうかを判定する手段とを有することを特徴とする移動通信端末。
【請求項１８】
隣接するセルへの移動に伴ってハンドオーバ制御が行われる移動通信端末であって、通信中に通信を一時的に切断してもＲａｋｅ合成後の通信品質に影響しないハンドオーバ対象セルをハンドオーバ対象から除外する手段を有することを特徴とする移動通信端末。
【請求項１９】
移動通信端末の隣接するセルへの移動に伴って当該移動通信端末のハンドオーバ制御を行う移動通信システムに用いられるハンドオーバ制御方法であって、前記移動通信端末側に、セル内共通に送信される共通チャネルと合わせて通信のために前記移動通信端末毎に割り当てられる個別チャネルの受信品質を測定するステップと、その測定結果に基づいてハンドオーバ対象のセルを決定するステップとを有することを特徴とするハンドオーバ制御方法。
【請求項２０】
前記移動通信端末側に、前記ハンドオーバ制御において通信中に前記ハンドオーバ対象のセルを切り替えて所要の通信品質を得るのに必要なセルを検索するステップを含むことを特徴とする請求項１９記載のハンドオーバ制御方法。
【請求項２１】
前記移動通信端末側に、前記ハンドオーバ制御において通信中に前記ハンドオーバ対象のセル各々について前記個別チャネルの受信品質を測定するステップと、前記個別チャネルの受信品質が悪いことが測定されたセルの通信を一時的に切断するステップと、Ｒａｋｅ合成後の通信品質が所要品質を満たすかどうかを判定するステップとを含むことを特徴とする請求項１９または請求項２０記載のハンドオーバ制御方法。
【請求項２２】
前記移動通信端末側に、前記ハンドオーバ制御において通信中に通信を一時的に切断してもＲａｋｅ合成後の通信品質に影響しないハンドオーバ対象セルを前記ハンドオーバ対象から除外するステップを含むことを特徴とする請求項１９から請求項２１のいずれか記載のハンドオーバ制御方法。
【請求項２３】
前記移動通信端末側に、前記ハンドオーバ制御において通信中に通信を一時的に切断してもＲａｋｅ合成後の通信品質に影響しないハンドオーバ対象セルと判断されたセルの中で前記共通チャネルから推定する無線区間でのレベル劣化量の変位量から前記移動通信端末の接近時に前記Ｒａｋｅ合成後の通信品質に影響を及ぼすと判断したセルを前記ハンドオーバ対象とするステップを含むことを特徴とする請求項１９から請求項２２のいずれか記載のハンドオーバ制御方法。
【請求項２４】
前記移動通信端末側に、前記ハンドオーバ制御において通信中に前記移動通信端末から送信されるパワーコントロール要求にしたがわないセルを前記ハンドオーバ対象から除外するステップを含むことを特徴とする請求項１９から請求項２３のいずれか記載のハンドオーバ制御方法。
【請求項２５】
移動通信端末の隣接するセルへの移動に伴って当該移動通信端末のハンドオーバ制御を行う移動通信システムに用いられるハンドオーバ制御方法であって、前記移動通信端末側に、通信中にハンドオーバ対象のセルを切り替えて所要の通信品質を得るのに必要なセルを検索するステップを有することを特徴とするハンドオーバ制御方法。
【請求項２６】
移動通信端末の隣接するセルへの移動に伴って当該移動通信端末のハンドオーバ制御を行う移動通信システムに用いられるハンドオーバ制御方法であって、前記移動通信端末側に、通信中にハンドオーバ対象のセル各々についてセル内共通に送信される共通チャネルと合わせて通信のために前記移動通信端末毎に割り当てられる個別チャネルの受信品質を測定するステップと、前記個別チャネルの受信品質が悪いことが測定されたセルの通信を一時的に切断するステップと、Ｒａｋｅ合成後の通信品質が所要品質を満たすかどうかを判定するステップとを有することを特徴とするハンドオーバ制御方法。
【請求項２７】
移動通信端末の隣接するセルへの移動に伴って当該移動通信端末のハンドオーバ制御を行う移動通信システムに用いられるハンドオーバ制御方法であって、前記移動通信端末側に、通信中に通信を一時的に切断してもＲａｋｅ合成後の通信品質に影響しないハンドオーバ対象セルをハンドオーバ対象から除外するステップを有することを特徴とするハンドオーバ制御方法。
【請求項２８】
移動通信端末の隣接するセルへの移動に伴って当該移動通信端末のハンドオーバ制御を行う移動通信システムに用いられるハンドオーバ制御方法のプログラムであって、前記移動通信端末のコンピュータに、セル内共通に送信される共通チャネルと合わせて通信のために前記移動通信端末毎に割り当てられる個別チャネルの受信品質を測定する処理と、その測定結果に基づいてハンドオーバ対象のセルを決定する処理とを実行させるためのプログラム。
【請求項２９】
移動通信端末の隣接するセルへの移動に伴って当該移動通信端末のハンドオーバ制御を行う移動通信システムに用いられるハンドオーバ制御方法のプログラムであって、前記移動通信端末のコンピュータに、通信中にハンドオーバ対象のセルを切り替えて所要の通信品質を得るのに必要なセルを検索する処理を実行させるためのプログラム。
【請求項３０】
移動通信端末の隣接するセルへの移動に伴って当該移動通信端末のハンドオーバ制御を行う移動通信システムに用いられるハンドオーバ制御方法のプログラムであって、前記移動通信端末のコンピュータに、通信中にハンドオーバ対象のセル各々についてセル内共通に送信される共通チャネルと合わせて通信のために前記移動通信端末毎に割り当てられる個別チャネルの受信品質を測定する処理と、前記個別チャネルの受信品質が悪いことが測定されたセルの通信を一時的に切断する処理と、Ｒａｋｅ合成後の通信品質が所要品質を満たすかどうかを判定する処理とを実行させるためのプログラム。
【請求項３１】
移動通信端末の隣接するセルへの移動に伴って当該移動通信端末のハンドオーバ制御を行う移動通信システムに用いられるハンドオーバ制御方法のプログラムであって、前記移動通信端末のコンピュータに、通信中に通信を一時的に切断してもＲａｋｅ合成後の通信品質に影響しないハンドオーバ対象セルをハンドオーバ対象から除外する処理を実行させるためのプログラム。
【発明の詳細な説明】
【技術分野】
【０００１】
本発明は移動通信システム、移動通信端末及びそれらに用いるハンドオーバ制御方法並びにそのプログラムに関し、特にＣＤＭＡ（Ｃｏｄｅ  Ｄｉｖｉｓｉｏｎ  Ｍｕｌｔｉｐｌｅ  Ａｃｃｅｓｓ）方式の移動通信端末のハンドオーバ制御方法に関する。
【背景技術】
【０００２】
ＣＤＭＡ方式の移動通信端末（ＵＥ：Ｕｓｅｒ  Ｅｑｕｉｐｍｅｎｔ）のハンドオーバ制御においては、図１２に示すように、移動通信端末１３がハンドオーバ対象候補となるセル１１，１２を選択する場合、セル１１，１２内共通に送信される共通チャネル（ＣＰＩＣＨ：Ｃｏｍｍｏｎ  Ｐｉｌｏｔ  Ｃｈａｎｎｅｌ）の受信レベルを測定し、受信レベルの良好なセル１１，１２をハンドオーバ対象とする（例えば、特許文献１参照）。
【０００３】
具体的には、移動通信端末１３が受信したセル１１，１２毎のコードパワー［ＣＰＩＣＨ  ＲＳＣＰ（Ｒｅｃｅｉｖｅｄ  Ｓｉｇｎａｌ  Ｃｏｄｅ  Ｐｏｗｅｒ）］、総送受信電界（ＲＳＳＩ：Ｒｅｃｅｉｖｅ  Ｓｉｇｎａｌ  Ｓｔｒｅｎｇｔｈ  Ｉｎｄｉｃａｔｉｏｎ）に占めるＣＰＩＣＨ  ＲＳＣＰの割合（ＣＰＩＣＨ  Ｅｃ／Ｎｏ）やセル１１，１２毎の無線区間でのレベル劣化量（ＣＰＩＣＨ  Ｐａｔｈ  Ｌｏｓｓ）等から判定を行う。
【０００４】
一方、ハンドオーバを含む実際の通信（音声、ビデオ電話、パケット通信等）は、ＣＰＩＣＨとは異なるチャネル、すなわち１台の移動通信端末１３が通信を行うたびに専用に割り当てられる個別チャネル（ＤＰＣＨ：Ｄｅｄｉｃａｔｅｄ  Ｐｈｙｓｉｃａｌ  Ｃｈａｎｎｅｌ）を使用する。
【０００５】
このように、ハンドオーバ対象のセル１１，１２を選択するために使用する共通チャネル（ＣＰＩＣＨ）と、実際の通信に使用する個別チャネル（ＤＰＣＨ）とが異なるために、移動通信端末１３から見て共通チャネル（ＣＰＩＣＨ）の受信品質は良いが、個別チャネル（ＤＰＣＨ）の通信品質が悪いセル１２をハンドオーバ対象としてしまうことがある。
【０００６】
【特許文献１】特開２００２−２７５２２号公報
【発明の開示】
【発明が解決しようとする課題】
【０００７】
上述した従来のハンドオーバ制御では、移動通信端末がハンドオーバ可能なセル数、またＲａｋｅ合成可能な受信機（Ｆｉｎｇｅｒ）の数には制限がある（例えば、６セル、１２Ｆｉｎｇｅｒ等）が、個別チャネル（ＤＰＣＨ）の品質の良くないセルで多くを占有されてしまうことがある。移動通信端末としてはより通信品質の高い個別チャネル（ＤＰＣＨ）を供給することができるセルとだけハンドオーバを行い、そのセルからより多くのマルチパス成分を受信して合成することが望ましい。
【０００８】
また、このような個別チャネル（ＤＰＣＨ）の品質の悪いセルからの個別チャネル（ＤＰＣＨ）の送信パワーは、移動通信端末にとって不要であるばかりでなく、他の移動通信端末（例えば、他のユーザ）にとっては干渉となり、つまりシステム全体としての下りキャパシティ（ユーザ収容数）に悪影響を与える。
【０００９】
悪いことに、このようなセルの個別チャネル（ＤＰＣＨ）の送信パワーは、移動通信端末からのパワーコントロール要求によって過大になってしまう（例えば、基地局の最大送信パワーまで達する）こともあるし、また他に個別チャネル（ＤＰＣＨ）の品質の良いセルが存在する場合には、移動通信端末からのパワーコントロール要求によって極小になってしまうこともある。
【００１０】
そこで、本発明の目的は上記の問題点を解消し、移動通信端末のハンドオーバ制御において、移動通信端末が持つ限られた受信資源（ハードウェア、ソフトウェア）を有効に活用することができ、安定した通信を行うことができる移動通信システム、移動通信端末及びそれらに用いるハンドオーバ制御方法並びにそのプログラムを提供することにある。
【課題を解決するための手段】
【００１１】
本発明による第１の移動通信システムは、移動通信端末の隣接するセルへの移動に伴って当該移動通信端末のハンドオーバ制御を行う移動通信システムであって、セル内共通に送信される共通チャネルと合わせて通信のために前記移動通信端末毎に割り当てられる個別チャネルの受信品質を測定する手段と、その測定結果に基づいてハンドオーバ対象のセルを決定する手段とを前記移動通信端末に備えている。
【００１２】
本発明による第２の移動通信システムは、移動通信端末の隣接するセルへの移動に伴って当該移動通信端末のハンドオーバ制御を行う移動通信システムであって、通信中にハンドオーバ対象のセルを切り替えて所要の通信品質を得るのに必要なセルを検索する手段を前記移動通信端末に備えている。
【００１３】
本発明による第３の移動通信システムは、移動通信端末の隣接するセルへの移動に伴って当該移動通信端末のハンドオーバ制御を行う移動通信システムであって、通信中にハンドオーバ対象のセル各々についてセル内共通に送信される共通チャネルと合わせて通信のために前記移動通信端末毎に割り当てられる個別チャネルの受信品質を測定する手段と、前記個別チャネルの受信品質が悪いことが測定されたセルの通信を一時的に切断する手段と、Ｒａｋｅ合成後の通信品質が所要品質を満たすかどうかを判定する手段とを前記移動通信端末に備えている。
【００１４】
本発明による第４の移動通信システムは、移動通信端末の隣接するセルへの移動に伴って当該移動通信端末のハンドオーバ制御を行う移動通信システムであって、通信中に通信を一時的に切断してもＲａｋｅ合成後の通信品質に影響しないハンドオーバ対象セルをハンドオーバ対象から除外する手段を前記移動通信端末に備えている。
【００１５】
本発明による第１の移動通信端末は、隣接するセルへの移動に伴ってハンドオーバ制御が行われる移動通信端末であって、セル内共通に送信される共通チャネルと合わせて通信のために割り当てられる個別チャネルの受信品質を測定する手段と、その測定結果に基づいてハンドオーバ対象のセルを決定する手段とを備えている。
【００１６】
本発明による第２の移動通信端末は、隣接するセルへの移動に伴ってハンドオーバ制御が行われる移動通信端末であって、通信中にハンドオーバ対象のセルを切り替えて所要の通信品質を得るのに必要なセルを検索する手段を前記移動通信端末に備えている。
【００１７】
本発明による第３の移動通信端末は、隣接するセルへの移動に伴ってハンドオーバ制御が行わける移動通信端末であって、通信中にハンドオーバ対象のセル各々についてセル内共通に送信される共通チャネルと合わせて通信のために割り当てられる個別チャネルの受信品質を測定する手段と、前記個別チャネルの受信品質が悪いことが測定されたセルの通信を一時的に切断する手段と、Ｒａｋｅ合成後の通信品質が所要品質を満たすかどうかを判定する手段とを備えている。
【００１８】
本発明による第４の移動通信端末は、隣接するセルへの移動に伴ってハンドオーバ制御が行われる移動通信端末であって、通信中に通信を一時的に切断してもＲａｋｅ合成後の通信品質に影響しないハンドオーバ対象セルをハンドオーバ対象から除外する手段を備えている。
【００１９】
本発明によるハンドオーバ制御方法は、移動通信端末の隣接するセルへの移動に伴って当該移動通信端末のハンドオーバ制御を行う移動通信システムに用いられるハンドオーバ制御方法であって、前記移動通信端末側に、セル内共通に送信される共通チャネルと合わせて通信のために前記移動通信端末毎に割り当てられる個別チャネルの受信品質を測定するステップと、その測定結果に基づいてハンドオーバ対象のセルを決定するステップとを備えている。
【００２０】
本発明による第２のハンドオーバ制御方法は、移動通信端末の隣接するセルへの移動に伴って当該移動通信端末のハンドオーバ制御を行う移動通信システムに用いられるハンドオーバ制御方法であって、前記移動通信端末側に、通信中にハンドオーバ対象のセルを切り替えて所要の通信品質を得るのに必要なセルを検索するステップを備えている。
【００２１】
本発明による第３のハンドオーバ制御方法は、移動通信端末の隣接するセルへの移動に伴って当該移動通信端末のハンドオーバ制御を行う移動通信システムに用いられるハンドオーバ制御方法であって、前記移動通信端末側に、通信中にハンドオーバ対象のセル各々についてセル内共通に送信される共通チャネルと合わせて通信のために前記移動通信端末毎に割り当てられる個別チャネルの受信品質を測定するステップと、前記個別チャネルの受信品質が悪いことが測定されたセルの通信を一時的に切断するステップと、Ｒａｋｅ合成後の通信品質が所要品質を満たすかどうかを判定するステップとを備えている。
【００２２】
本発明による第４のハンドオーバ制御方法は、移動通信端末の隣接するセルへの移動に伴って当該移動通信端末のハンドオーバ制御を行う移動通信システムに用いられるハンドオーバ制御方法であって、前記移動通信端末側に、通信中に通信を一時的に切断してもＲａｋｅ合成後の通信品質に影響しないハンドオーバ対象セルをハンドオーバ対象から除外するステップを備えている。
【００２３】
本発明による第１のハンドオーバ制御方法のプログラムは、移動通信端末の隣接するセルへの移動に伴って当該移動通信端末のハンドオーバ制御を行う移動通信システムに用いられるハンドオーバ制御方法のプログラムであって、前記移動通信端末のコンピュータに、セル内共通に送信される共通チャネルと合わせて通信のために前記移動通信端末毎に割り当てられる個別チャネルの受信品質を測定する処理と、その測定結果に基づいてハンドオーバ対象のセルを決定する処理とを実行させている。
【００２４】
本発明による第２のハンドオーバ制御方法のプログラムは、移動通信端末の隣接するセルへの移動に伴って当該移動通信端末のハンドオーバ制御を行う移動通信システムに用いられるハンドオーバ制御方法のプログラムであって、前記移動通信端末のコンピュータに、通信中にハンドオーバ対象のセルを切り替えて所要の通信品質を得るのに必要なセルを検索する処理を実行させている。
【００２５】
本発明による第３のハンドオーバ制御方法のプログラムは、移動通信端末の隣接するセルへの移動に伴って当該移動通信端末のハンドオーバ制御を行う移動通信システムに用いられるハンドオーバ制御方法のプログラムであって、前記移動通信端末のコンピュータに、通信中にハンドオーバ対象のセル各々についてセル内共通に送信される共通チャネルと合わせて通信のために前記移動通信端末毎に割り当てられる個別チャネルの受信品質を測定する処理と、前記個別チャネルの受信品質が悪いことが測定されたセルの通信を一時的に切断する処理と、Ｒａｋｅ合成後の通信品質が所要品質を満たすかどうかを判定する処理とを実行させている。
【００２６】
本発明による第４のハンドオーバ制御方法のプログラムは、移動通信端末の隣接するセルへの移動に伴って当該移動通信端末のハンドオーバ制御を行う移動通信システムに用いられるハンドオーバ制御方法のプログラムであって、前記移動通信端末のコンピュータに、通信中に通信を一時的に切断してもＲａｋｅ合成後の通信品質に影響しないハンドオーバ対象セルをハンドオーバ対象から除外する処理を実行させている。
【００２７】
すなわち、本発明の移動通信システムは、上記の問題を改善するために、ＣＤＭＡ（Ｃｏｄｅ  Ｄｉｖｉｓｉｏｎ  Ｍｕｌｔｉｐｌｅ  Ａｃｃｅｓｓ）方式の移動通信端末（ＵＥ：Ｕｓｅｒ  Ｅｑｕｉｐｍｅｎｔ）のハンドオーバ制御において、移動通信端末がセル内共通に送信される共通チャネル（ＣＰＩＣＨ：Ｃｏｍｍｏｎ  Ｐｉｌｏｔ  Ｃｈａｎｎｅｌ）の他に、通信のために移動通信端末毎に割り当てられる個別チャネル（ＤＰＣＨ：Ｄｅｄｉｃａｔｅｄ  Ｐｈｙｓｉｃａｌ  Ｃｈａｎｎｅｌ）の通信品質を考慮して、ハンドオーバ対象のセルを決定する。
【００２８】
具体的に説明すると、本発明の移動通信システムでは、移動通信端末が通信中、セル毎のＣＰＩＣＨ受信レベル｛コードパワー［ＣＰＩＣＨ  ＲＳＣＰ（Ｒｅｃｅｉｖｅｄ  Ｓｉｇｎａｌ  Ｃｏｄｅ  Ｐｏｗｅｒ）］、総送受信電界（ＲＳＳＩ：Ｒｅｃｅｉｖｅ  Ｓｉｇｎａｌ  Ｓｔｒｅｎｇｔｈ  Ｉｎｄｉｃａｔｉｏｎ）に占めるＣＰＩＣＨ  ＲＳＣＰの割合（ＣＰＩＣＨ  Ｅｃ／Ｎｏ）、セル毎の無線区間でのレベル劣化量（ＣＰＩＣＨ  Ｐａｔｈ  Ｌｏｓｓ）等｝の測定結果によってハンドオーバ対象セルを決定することに加え、ＤＰＣＨに関して以下の制御を行う。
【００２９】
（１）移動通信端末はセル毎の下りＤＰＣＨの受信品質を測定し、ハンドオーバ対象セルの選択に利用する。例えば、セル毎のＤＰＣＨ  ＳＩＲ（Ｓｉｇｎａｌ  ｔｏ  Ｉｎｔｅｒｆｅｒｅｎｃｅ  ｐｏｗｅｒ  Ｒａｔｉｏ：信号電力−干渉電力比）やＤＰＣＨ  ＲＳＣＰ（コードパワー）を測定し、品質の悪いセルをハンドオーバ対象から除外するようにネットワークへ通知する。
【００３０】
（２）移動通信端末はハンドオーバ対象のセルを切り替えて、所要の通信品質を得るのに必要なセルを検索する。例えば、移動通信端末は上記の（１）の結果によってＤＰＣＨの受信品質が悪いと判定されたセルの通信を一時的に切断し、トータルの通信品質がネットワークから指定される所要通信品質を満たすかどうかを判定する。
【００３１】
その結果、移動通信端末はトータルの通信品質に影響しない（切断しても所要通信品質を満たせる）セルをハンドオーバ対象から除外するようにネットワークへ通知する。
【００３２】
また、この時、移動通信端末は一時的に切断するセルの受信に使用していた受信機（Ｆｉｎｇｅｒ）を残りのセルのマルチパス成分に割り当てることによって、トータルの通信品質としてさらなる利得が得られる可能性もある。
【００３３】
（３）移動通信端末はセル毎のＣＰＩＣＨ  Ｐａｔｈ  Ｌｏｓｓ（無線区間でのレベル劣化量）の変位量を観測する。例えば、移動通信端末は上記の（２）の結果によってそのセルとの通信を切断してもトータルの通信品質に影響しない（切断しても所要通信品質を満たせる）と判定されたセルについても、時間とともに（移動通信端末の移動とともに）、ＣＰＩＣＨ  Ｐａｔｈ  Ｌｏｓｓが小さくなっている場合、近い将来にそのセルがトータルの通信品質に影響を与えると判断し、ハンドオーバ対象として残す。
【００３４】
（４）移動通信端末はハンドオーバ対象のセル毎に移動通信端末からのパワーコントロール要求にしたがって下りＤＰＣＨ送信パワーを制御しているかを観測する。例えば、移動通信端末は上記の（１）で測定するセル毎の下りＤＰＣＨ  ＲＳＣＰの変位（前回タイムスロットに比べてＵｐまたはＤｏｗｎ）と、同じ時間軸で移動通信端末から上りＤＰＣＨを使用して送信した下りＤＰＣＨパワーコントロール要求パターン（ＵｐまたはＤｏｗｎ）とが一致しないセルに関して、上りの通信が正常にできていないと判断し、ハンドオーバ対象から除外するようにネットワークへ通知する。
【００３５】
実際には、下りＤＰＣＨ受信レベルの変位は移動通信端末からの下りＤＰＣＨパワーコントロール要求以外にも、Ｐａｔｈ  Ｌｏｓｓ（移動通信端末と基地局との距離に依存）にも強く依存するため、厳密にはこれも考慮する必要があるが、ある程度の長い時間（例えば、１秒間＝１０００サンプル以上）の変位を観測すれば、移動通信端末からのパワー要求にしたがっているかが判定可能である。
【００３６】
ところで、ＣＤＭＡ方式の移動通信システムにおいては、ネットワーク側によってハンドオーバ中のセル毎の送信パワーのバランスを取るＰｏｗｅｒ  Ｂａｌａｎｃｉｎｇという機能があるが、本発明の移動通信システムは、刻一刻と変わる無線環境に移動通信端末自身で対応して常にベストな状態のハンドオーバを行うためのものである。
【００３７】
上り、下りともにある程度の通信エラー（許容通信品質）を前提とした無線通信においては、ハンドオーバ対象のすべてのセルに関して完全な上下のパワーコントロールを実行することが不可能であり、移動通信端末が自ら通信品質を満足するようにアクティブな制御を行うべきである。
【００３８】
ネットワークのＰｏｗｅｒ  Ｂａｌａｎｃｉｎｇが移動通信端末から見た個別チャネル（ＤＰＣＨ）の受信品質を考慮していないこと、また移動通信端末からネットワークへ上りＤＰＣＨを使用して要求するパワーコントロールが全セル共通宛てになっていることから、移動通信端末から見て個別チャネル（ＤＰＣＨ）の品質がアンバランスになることは避けることができない。
【００３９】
これによって、本発明の移動通信システムでは、移動通信端末のハンドオーバ制御において、移動通信端末が持つ限られた受信資源（ハードウェア、ソフトウェア）を有効に活用することが可能となり、安定した通信を行うことが可能となる。また、本発明の移動通信システムでは、ネットワーク全体のシステム容量（ユーザ収容数）を増やすことが可能となる。
【００４０】
上記の理由としては、移動通信端末がハンドオーバ対象のそれぞれのセルについて、通信に使用する個別チャネルの受信品質を測定し、また受信（Ｒａｋｅ合成）するセルを切り替えることによって、トータルとしての所要通信品質を満たすために必要なセルを判定し、ハンドオーバ対象とするためである。
【００４１】
また、他の理由としては、移動通信端末がハンドオーバ対象のそれぞれのセルについて、移動通信端末から送信するパワーコントロール要求にしたがっているかを観測することによって、上り受信品質の良いセルを判定し、ハンドオーバ対象とするためである。
【発明の効果】
【００４２】
本発明は、以下に述べるような構成及び動作とすることで、移動通信端末のハンドオーバ制御において、移動通信端末が持つ限られた受信資源（ハードウェア、ソフトウェア）を有効に活用することができ、安定した通信を行うことができるという効果が得られる。
【発明を実施するための最良の形態】
【００４３】
次に、本発明の実施例について図面を参照して説明する。図１は本発明の一実施例による移動通信システムの構成を示すブロック図である。図１において、本発明の一実施例による移動通信システムは図示せぬ基地局（図１ではその基地局に対応するセル１，２を図示）と、ＣＤＭＡ（Ｃｏｄｅ  Ｄｉｖｉｓｉｏｎ  Ｍｕｌｔｉｐｌｅ  Ａｃｃｅｓｓ）方式の移動通信端末（ＵＥ：Ｕｓｅｒ  Ｅｑｕｉｐｍｅｎｔ）３とから構成されている。また、上記の基地局は図示せぬ基地局制御局によって制御されているが、本実施例では基地局制御局による制御が直接関係しないので、その説明を省略する。
【００４４】
移動通信端末３はセル１，２毎に下り共通チャネル（ＣＰＩＣＨ：Ｃｏｍｍｏｎ  Ｐｉｌｏｔ  Ｃｈａｎｎｅｌ）と下り個別チャネル（ＤＰＣＨ：Ｄｅｄｉｃａｔｅｄ  Ｐｈｙｓｉｃａｌ  Ｃｈａｎｎｅｌ）とを受信し、全てのセル１，２共通に上り個別チャネル（ＤＰＣＨ）を送信する。
【００４５】
下り共通チャネル（ＣＰＩＣＨ）はセル１，２毎に固定パワーで送信され、移動通信端末３はセル１，２毎の下り共通チャネル（ＣＰＩＣＨ）の受信レベルからハンドオーバ対象セルを選択する。下り個別チャネル（ＤＰＣＨ）は通信のため、移動通信端末３個別に送信され、移動通信端末３はハンドオーバ対象セルからの下り個別チャネル（ＤＰＣＨ）を合成する。本実施例では、移動通信端末３がセル１，２毎の下り個別チャネル（ＤＰＣＨ）の受信品質を測定し、品質の悪いセル２の下り個別チャネル（ＤＰＣＨ）を一時的に合成対象から外している。上り個別チャネル（ＤＰＣＨ）は移動通信端末３から全てのセル１，２共通に送信され、下り個別チャネル（ＤＰＣＨ）のパワー要求を含んでいる。
【００４６】
移動通信端末３は合成後のハンドオーバ対象セルからの下り個別チャネル（ＤＰＣＨ）の通信品質を所要品質と比較し、セル１，２に対して上り個別チャネル（ＤＰＣＨ）にてパワー要求を送信する。移動通信端末３は下り個別チャネル（ＤＰＣＨ）の受信品質の悪いセル２を合成対象から外しても、所要品質を満たせる場合、図示せぬネットワークに対してセル２をハンドオーバ対象から除外するように通知する。例えば、セル２は下り個別チャネル（ＤＰＣＨ）の受信品質が悪くても、下り共通チャネル（ＣＰＩＣＨ）の受信レベルがよければ、ハンドオーバ対象となる。
【００４７】
図２は図１の移動通信端末３の構成例を示すブロック図である。図２において、移動通信端末３はＣＰＵ（中央処理装置）３１と、ＲＡＭ（ランダムアクセスメモリ）３２と、セル１，２において無線送受信を行う無線送受信部３３と、ＣＰＵ３１で実行されるプログラムを格納する記録媒体３４とから構成されている。
【００４８】
ＣＰＵ３１はセル１，２毎の下り個別チャネル（ＤＰＣＨ）の受信品質を測定し、ハンドオーバ対象セルを選択するハンドオーバ対象セル選択部３１１と、ハンドオーバ対象のセルを切り替えて、所要の通信品質を得るのに必要なセルを検索するセル検索処理部３１２と、セル毎のＣＰＩＣＨ  Ｐａｔｈ  Ｌｏｓｓ（無線区間でのレベル劣化量）の変位量を観測する変位量観測処理部３１３と、ハンドオーバ対象のセル毎にパワーコントロール要求にしたがって下り個別チャネル（ＤＰＣＨ）の送信パワーを制御しているかを観測するパワー制御観測処理部３１４とを含んで構成されている。これらの各部はＣＰＵ３１が記録媒体３４のプログラムを実行することで実現される。
【００４９】
図３〜図７は図２に示す移動通信端末３の動作を示すフローチャートであり、図８は下り個別チャネル（ＤＰＣＨ）の受信品質を考慮したハンドオーバ制御を示す図であり、図９は下り個別チャネル（ＤＰＣＨ）の受信品質とＰａｔｈ  Ｌｏｓｓとを考慮したハンドオーバ制御を示す図であり、図１０は上り個別チャネル（ＤＰＣＨ）の品質を考慮したハンドオーバ制御を示す図であり、図１１は下りパワーコントロールを利用した上り個別チャネル（ＤＰＣＨ）の品質判定を示す図である。
【００５０】
これら図１〜図１１を参照して本発明の一実施例によるハンドオーバ制御について説明する。尚、図３〜図７に示す処理はＣＰＵ３１が記録媒体３４のプログラムを実行することで実現される。
【００５１】
本実施例では、移動通信端末３がセル１，２内共通に送信される下り共通チャネル（ＣＰＩＣＨ）の他に、通信のために移動通信端末３毎に割り当てられる下り個別チャネル（ＤＰＣＨ）の通信品質を考慮し、ハンドオーバ対象のセルを決定している。
【００５２】
具体的に説明すると、移動通信端末３は通信中、セル１，２毎の下り共通チャネル（ＣＰＩＣＨ）の受信レベル｛コードパワー［ＣＰＩＣＨ  ＲＳＣＰ（Ｒｅｃｅｉｖｅｄ  Ｓｉｇｎａｌ  Ｃｏｄｅ  Ｐｏｗｅｒ）］、総送受信電界（ＲＳＳＩ：Ｒｅｃｅｉｖｅ  Ｓｉｇｎａｌ  Ｓｔｒｅｎｇｔｈ  Ｉｎｄｉｃａｔｉｏｎ）に占めるＣＰＩＣＨ  ＲＳＣＰの割合（ＣＰＩＣＨ  Ｅｃ／Ｎｏ）、セル毎の無線区間でのレベル劣化量（ＣＰＩＣＨ  Ｐａｔｈ  Ｌｏｓｓ）等｝の測定結果によってハンドオーバ対象セルを決定する処理（図３ステップＳ１）に加え、下り個別チャネル（ＤＰＣＨ）に関して以下の制御を行う。
【００５３】
移動通信端末３はセル１，２毎の下り個別チャネル（ＤＰＣＨ）の受信品質を測定し、その測定結果をハンドオーバ対象セル選択部３１１によるハンドオーバ対象セルの選択に利用する。例えば、移動通信端末３はセル１，２毎のＤＰＣＨ  ＳＩＲ（Ｓｉｇｎａｌ  ｔｏ  Ｉｎｔｅｒｆｅｒｅｎｃｅ  ｐｏｗｅｒ  Ｒａｔｉｏ：信号電力−干渉電力比）やＤＰＣＨ  ＲＳＣＰ（コードパワー）を測定し、品質の悪いセルをハンドオーバ対象から除外するようにネットワークへ通知する（図３ステップＳ２）。
【００５４】
次に、移動通信端末３はハンドオーバ対象のセルを切り替えて、所要の通信品質を得るのに必要なセルをセル検索処理部３１２にて検索する（図３ステップＳ３）。
【００５５】
例えば、移動通信端末３は下り個別チャネル（ＤＰＣＨ）の受信品質の測定結果によって、下り個別チャネル（ＤＰＣＨ）の受信品質が悪いと判定されたセルの通信を一時的に切断し（図４ステップＳ１１）、トータルの通信品質がネットワークから指定される所要通信品質を満たすかどうかを判定する（図４ステップＳ１２）。その結果、移動通信端末３はトータルの通信品質に影響しない（切断しても所要通信品質を満たせる）と判断したセルをハンドオーバ対象から除外するようにネットワークへ通知する（図４ステップＳ１２）。
【００５６】
また、この時、移動通信端末３は一時的に切断するセルの受信に使用していた受信機（Ｆｉｎｇｅｒ）を残りのセルのマルチパス成分に割り当てることによって（図７ステップＳ４１〜Ｓ４４）、トータルの通信品質としてさらなる利得が得られる可能性もある。
【００５７】
すなわち、図８に示すように、移動通信端末３のＦｉｎｇｅｒ数＝６の場合、Ｆｉｎｇｅｒ１〜３がそれぞれ「セル１パス１」、「セル１パス２」、「セル１パス３」であれば、セル１の品質は「セル１パス１〜３」となる。また、Ｆｉｎｇｅｒ４〜６がそれぞれ「セル２パス１」、「セル２パス２」、「セル２パス３」であれば、セル２の品質は「セル２パス１〜３」となる。したがって、Ｒａｋｅ合成品質は「セル１＋２」となる。ここで、パスはマルチパス成分を示している。
【００５８】
セル１，２がともに、下り個別チャネル（ＤＰＣＨ）の受信品質の良好な状態から、セル２の下り個別チャネル（ＤＰＣＨ）の受信品質が劣化しているが、合成品質が良好な状態を経て、一時的にセル２の下り個別チャネル（ＤＰＣＨ）の受信を停止した状態へと移行した時、Ｆｉｎｇｅｒ４，５にそれぞれ「セル１パス４」、「セル１パス５」を割り当てることによって、トータルの通信品質としてさらなる利得が得られる可能性もある。尚、この状態でも合成品質がよければ、セル２をハンドオーバ対象から除外するようにネットワークへ通知する。
【００５９】
続いて、移動通信端末３はセル１，２毎のＣＰＩＣＨ  Ｐａｔｈ  Ｌｏｓｓ（無線区間でのレベル劣化量）の変位量を変位量観測処理部３１３にて観測する（図３ステップＳ４）。
【００６０】
例えば、移動通信端末３は所要の通信品質を得るのに必要なセルの検索結果によって、そのセルとの通信を切断してもトータルの通信品質に影響しない（切断しても所要通信品質を満たせる）と判定されたセルについても（図５ステップＳ２１）、時間とともに（移動通信端末３の移動とともに）、ＣＰＩＣＨ  Ｐａｔｈ  Ｌｏｓｓが小さくなっている場合（図５ステップＳ２２）、近い将来にそのセルがトータルの通信品質に影響を与えると判断し、ハンドオーバ対象として残す（図５ステップＳ２３）。
【００６１】
すなわち、図９に示すように、セル２の下り個別チャネル（ＤＰＣＨ）の受信品質は悪いが、セル１のＣＰＩＣＨ  Ｐａｔｈ  Ｌｏｓｓの増加に対してセル２のＣＰＩＣＨ  Ｐａｔｈ  Ｌｏｓｓが減少していることから、セル２の下り個別チャネル（ＤＰＣＨ）の受信品質がよくなると予測し、セル２をハンドオーバ対象として残している。この間、セル１の下り個別チャネル（ＤＰＣＨ）の受信品質がほぼ一定なのは、移動通信端末３からのパワーコントロールにしたがって、下り個別チャネル（ＤＰＣＨ）の送信パワーをあげているためである。
【００６２】
移動通信端末３がセル１から遠ざかり、セル２に近付くと、セル１のＣＰＩＣＨ  Ｐａｔｈ  Ｌｏｓｓとセル２のＣＰＩＣＨ  Ｐａｔｈ  Ｌｏｓｓとが逆転する。移動通信端末３の合成後の通信品質はセル２の下り個別チャネル（ＤＰＣＨ）が支配的となる。
【００６３】
さらに、移動通信端末３がセル２に近付くと、セル１の下り個別チャネル（ＤＰＣＨ）の受信品質が悪くなり、またＣＰＩＣＨ  Ｐａｔｈ  Ｌｏｓｓも増加傾向にあることから、セル１の下り個別チャネル（ＤＰＣＨ）の受信品質がよくならないと予測されるので、セル１をハンドオーバ対象から除外するようにネットワークに通知する。
【００６４】
この後に、移動通信端末３はハンドオーバ対象のセル毎に自端末からのパワーコントロール要求にしたがって下りＤＰＣＨ送信パワーを制御しているかをパワー制御観測処理部３１４にて観測する（図３ステップＳ５）。
【００６５】
例えば、移動通信端末３は上記のハンドオーバ対象セル選択部３１１で測定するセル１，２毎の下りＤＰＣＨ  ＲＳＣＰの変位（前回タイムスロットに比べてＵｐまたはＤｏｗｎ）と、同じ時間軸で自端末から上り個別チャネル（ＤＰＣＨ）を使用して送信した下り個別チャネル（ＤＰＣＨ）のパワーコントロール要求パターン（ＵｐまたはＤｏｗｎ）とが一致しないセルに関して（図６ステップＳ３１，Ｓ３２）、上りの通信が正常にできていないと判断し、ハンドオーバ対象から除外するようにネットワークへ通知する（図６ステップＳ３３）。
【００６６】
この制御を図１０及び図１１に示す。図１１において、セル１の下りＤＰＣＨ  ＲＳＣＰの変位では、第３番目のタイムスロットにおいて、パワー要求「ＵＰ」に対して「Ｄｏｗｎ」となり、「正解率＝４／５→上り個別チャネル（ＤＰＣＨ）の品質良好」と判断される。
【００６７】
また、セル２の下りＤＰＣＨ  ＲＳＣＰの変位では、第１番目のタイムスロットにおいて、パワー要求「ＵＰ」に対して「Ｄｏｗｎ」となり、第４番目のタイムスロットにおいて、パワー要求「Ｄｏｗｎ」に対して「ＵＰ」となり、第５番目のタイムスロットにおいて、パワー要求「ＵＰ」に対して「Ｄｏｗｎ」となり、「正解率＝２／５→上り個別チャネル（ＤＰＣＨ）の品質劣悪」と判断される。
【００６８】
実際には、下り個別チャネル（ＤＰＣＨ）の受信レベルの変位は、移動通信端末３からの下り個別チャネル（ＤＰＣＨ）のパワーコントロール要求以外にもＰａｔｈ  Ｌｏｓｓ（移動通信端末３と基地局との距離に依存）にも強く依存するため、厳密にはこれも考慮する必要があるが、ある程度の長い時間（例えば、１秒間＝１０００サンプル以上）の変位を観測すれば、移動通信端末３からのパワー要求にしたがっているかを判定可能である。
【００６９】
ところで、ＣＤＭＡ方式の移動通信システムとして、ネットワーク側によってハンドオーバ中のセル毎の送信パワーのバランスを取るＰｏｗｅｒ  Ｂａｌａｎｃｉｎｇという機能があるが、本実施例では、刻一刻と変わる無線環境に移動通信端末３自身で対応して常にベストな状態のハンドオーバを行っている。
【００７０】
上り、下りともにある程度の通信エラー（許容通信品質）を前提とした無線通信においては、ハンドオーバ対象のすべてのセルに関して完全な上下のパワーコントロールを実行することが不可能であり、移動通信端末３が自ら通信品質を満足するようにアクティブな制御を行うべきである。
【００７１】
ネットワークのＰｏｗｅｒ  Ｂａｌａｎｃｉｎｇの機能が移動通信端末３から見た個別チャネル（ＤＰＣＨ）の受信品質を考慮していないこと、また移動通信端末３からネットワークへ上り個別チャネル（ＤＰＣＨ）を使用して要求するパワーコントロールが全セル共通宛てになっていることから、移動通信端末３から見て個別チャネル（ＤＰＣＨ）の品質がアンバランスになることは避けることができない。
【００７２】
このように、本実施例では、移動通信端末３がハンドオーバ対象のそれぞれのセルについて、通信に使用する個別チャネルの受信品質を測定し、また受信（Ｒａｋｅ合成）するセルを切り替えることによってトータルとしての所要通信品質を満たすために必要なセルを判定し、ハンドオーバ対象とするため、移動通信端末３が持つ限られた受信資源（ハードウェア、ソフトウェア）を有効に活用することができ、安定した通信を行うことができ、ネットワーク全体のシステム容量（ユーザ収容数）を増やすことができる。
【００７３】
また、本実施例では、移動通信端末３がハンドオーバ対象のそれぞれのセルについて、移動通信端末３から送信するパワーコントロール要求にしたがっているかを観測することによって上り受信品質の良いセルを判定し、ハンドオーバ対象とするため、移動通信端末３が持つ限られた受信資源（ハードウェア、ソフトウェア）を有効に活用することができ、安定した通信を行うことができ、ネットワーク全体のシステム容量（ユーザ収容数）を増やすことができる。
【図面の簡単な説明】
【００７４】
【図１】本発明の一実施例による移動通信システムの構成を示すブロック図である。
【図２】図１の移動通信端末の構成例を示すブロック図である。
【図３】図２に示す移動通信端末の動作を示すフローチャートである。
【図４】図２に示す移動通信端末の動作を示すフローチャートである。
【図５】図２に示す移動通信端末の動作を示すフローチャートである。
【図６】図２に示す移動通信端末の動作を示すフローチャートである。
【図７】図２に示す移動通信端末の動作を示すフローチャートである。
【図８】下り個別チャネルの受信品質を考慮したハンドオーバ制御を示す図である。
【図９】下り個別チャネル（ＤＰＣＨ）の受信品質とＰａｔｈ  Ｌｏｓｓとを考慮したハンドオーバ制御を示す図である。
【図１０】上り個別チャネル（ＤＰＣＨ）の品質を考慮したハンドオーバ制御を示す図である。
【図１１】下りパワーコントロールを利用した上り個別チャネル（ＤＰＣＨ）の品質判定を示す図である。
【図１２】従来のハンドオーバ制御を示す図である。
【符号の説明】
【００７５】
１，２  セル
３  移動通信端末
３１  ＣＰＵ
３２  ＲＡＭ
３３  無線送受信部
３４  記録媒体
３１１  ハンドオーバ対象セル選択部
３１２  セル検索処理部
３１３  変位量観測処理部
３１４  パワー制御観測処理部
【図１】
2006054625.tif 000003
【図２】
2006054625.tif 000004
【図３】
2006054625.tif 000005
【図４】
2006054625.tif 000006
【図５】
2006054625.tif 000007
【図６】
2006054625.tif 000008
【図７】
2006054625.tif 000009
【図８】
2006054625.tif 000010
【図９】
2006054625.tif 000011
【図１０】
2006054625.tif 000012
【図１１】
2006054625.tif 000013
【図１２】
2006054625.tif 000014